(57)【要約】【課題】コンテンツに対する盛り上がりが直感的にわかるユーザ投稿情報サーバ、ユーザ投稿情報表示システム、ユーザ投稿情報表示方法およびユーザ投稿情報表示プログラムを提供すること。【解決手段】ユーザ投稿情報サーバ１５１は、静的コンテンツに対するユーザ投稿情報をユーザ端末装置１４１に表示させるためのユーザ投稿情報サーバ１５１であって、投稿されたユーザ投稿情報を受け付ける通信部１５２と、ユーザ投稿情報が投稿されたタイミングに応じて、ユーザ投稿情報をユーザ端末装置にポップアップ表示させる制御を行う制御部１５３とを有する。【選択図】図１
2018165880.tif 000002
【特許請求の範囲】
【請求項１】
静的コンテンツに対するユーザ投稿情報をユーザ端末装置に表示させるユーザ投稿情報サーバであって、
投稿された前記ユーザ投稿情報を受け付ける通信部と、
前記ユーザ投稿情報が投稿されたタイミングに応じて、前記ユーザ投稿情報を前記ユーザ端末装置にポップアップ表示させる制御を行う制御部と
を有するユーザ投稿情報サーバ。
【請求項２】
前記制御部は、前記ポップアップ表示を前記静的コンテンツに重畳表示させる制御を行う請求項１に記載のユーザ投稿情報サーバ。
【請求項３】
前記制御部は、前記ユーザ投稿情報が投稿されたタイミングでリアルタイムに前記ユーザ投稿情報を前記ユーザ端末装置にポップアップ表示させる制御を行う請求項１又は２に記載のユーザ投稿情報サーバ。
【請求項４】
前記制御部は、表示禁止領域に前記ポップアップ表示をしないように制御を行う請求項１乃至３のいずれか一項に記載のユーザ投稿情報サーバ。
【請求項５】
前記表示禁止領域は、前記静的コンテンツに応じて設定される請求項４に記載のユーザ投稿情報サーバ。
【請求項６】
前記通信部が受け付けた前記ユーザ投稿情報を記憶する記憶部をさらに有し、
前記制御部は、前記記憶部に記憶された前記ユーザ投稿情報を、前記ポップアップ表示を行う領域とは別に前記ユーザ端末装置にタイムラインとして表示させるための制御を行う請求項１乃至５のいずれか一項に記載のユーザ投稿情報サーバ。
【請求項７】
前記制御部は、前記ユーザ端末装置が前記タイムラインを表示している場合には前記ポップアップ表示をしない制御を行う請求項６に記載のユーザ投稿情報サーバ。
【請求項８】
前記制御部は、ユーザ投稿情報の前記ポップアップ表示の背景の色と、該ユーザ投稿情報に対応するタイムラインの表示の背景の色を対応させる制御を行う請求項６又は７に記載のユーザ投稿情報サーバ。
【請求項９】
前記制御部は、ユーザ投稿情報の前記ポップアップ表示の文字の色と、該ユーザ投稿情報に対応するタイムラインの表示の文字の色を対応させる制御を行う請求項６から８のいずれか一項に記載のユーザ投稿情報サーバ。
【請求項１０】
前記制御部は、前記ユーザ投稿情報の時間当たりの投稿頻度に応じてポップアップ表示の状態を変更する請求項１乃至９のいずれか一項に記載のユーザ投稿情報サーバ。
【請求項１１】
前記ユーザ投稿情報は、投稿者がユーザ投稿情報を投稿する際に選択する前記ユーザ投稿情報に対応する属性情報が付与されており、
前記制御部は、前記属性情報に基づき前記ユーザ投稿情報のポップアップ表示の状態を変更する請求項１乃至１０のいずれか一項に記載のユーザ投稿情報サーバ。
【請求項１２】
前記制御部が変更する前記ポップアップ表示の状態は、ポップアップ表示の文字の色、ポップアップ表示の文字のフォント、ポップアップ表示の背景の色、ポップアップ表示の背景の模様、ポップアップ表示の文字の透明度、ポップアップ表示の背景色の透明度、ポップアップ表示の形状、ポップアップ表示の表示時間若しくはポップアップ表示の表示位置又はそれらの組み合わせである請求項１０又は１１に記載のユーザ投稿情報サーバ。
【請求項１３】
前記制御部は、前記ユーザ投稿情報とともに前記投稿者を示す投稿者情報をポップアップ表示させるための制御を行う請求項１乃至１２のいずれか一項に記載のユーザ投稿情報サーバ。
【請求項１４】
前記制御部は、第一の投稿者が投稿したユーザ投稿情報に対して第二の投稿者がユーザ投稿情報を投稿した場合、第一の投稿者を示す投稿者情報と第二の投稿者を示す投稿者情報が表示画面において関連付けられて表示されるように制御を行う請求項１３に記載のユーザ投稿情報サーバ。
【請求項１５】
前記制御部は、前記ユーザ投稿情報の内容を解析し、解析結果に応じてポップアップ表示の状態を変更するための制御を行う請求項１乃至１４のいずれか一項に記載のユーザ投稿情報サーバ。
【請求項１６】
前記静的コンテンツは、ニュース情報である請求項１乃至１５のいずれか一項に記載のユーザ投稿情報サーバ。
【請求項１７】
静的コンテンツを配信するコンテンツサーバと、
前記静的コンテンツに対するユーザ投稿情報の管理を行うユーザ投稿情報サーバと、
前記静的コンテンツと前記ユーザ投稿情報の表示を行うユーザ端末装置と、
を有するユーザ投稿情報表示システムにおいて、
前記ユーザ投稿情報サーバは、投稿された前記ユーザ投稿情報を受け付ける通信部と、前記ユーザ投稿情報が投稿されたタイミングに応じて、前記ユーザ投稿情報を前記ユーザ端末装置にポップアップ表示させる制御を行う制御部と
を有するユーザ投稿情報表示システム。
【請求項１８】
静的コンテンツに対するユーザ投稿情報をユーザ端末装置に表示させるためのユーザ投稿情報表示方法であって、
通信部が、投稿された前記ユーザ投稿情報を受け付ける受信ステップと、
制御部が、前記ユーザ投稿情報が投稿されたタイミングに応じて、前記ユーザ投稿情報を前記ユーザ端末装置にポップアップ表示させるための制御を行う制御ステップと
を有するユーザ投稿情報表示方法。
【請求項１９】
静的コンテンツに対するユーザ投稿情報をユーザ端末装置に表示させるためのユーザ投稿情報表示プログラムであって、
投稿された前記ユーザ投稿情報を受け付ける受信ステップと、
前記ユーザ投稿情報が投稿されたタイミングに応じて、前記ユーザ投稿情報を前記ユーザ端末装置にポップアップ表示させるための制御を行う制御ステップと
をコンピュータによって実現するためのユーザ投稿情報表示プログラム。
【発明の詳細な説明】
【技術分野】
【０００１】
本開示は、ユーザ投稿情報を表示させるユーザ投稿情報サーバ、ユーザ投稿情報表示システム、ユーザ投稿情報表示方法及びユーザ投稿情報表示プログラムに関する。
【背景技術】
【０００２】
従来からニュースサイト等に対してニュースサイトの読者がニュースに関連するコメントを投稿し、タイムラインとして表示することで、ユーザ間でのコメントの共有を図る技術が知られている。
【０００３】
また特許文献１に示すように、特定のコンテンツに対してコメントの投稿があった場合に、コメントを投稿したユーザを示すアバター画像を表示し、アバター画像に対応したコメントを表示する技術が開示されている。当該技術によって、どのようなユーザがコンテンツに興味をもっているのかをユーザ同士で知ることができる。
【先行技術文献】
【特許文献】
【０００４】
【特許文献１】特開２０１２−１１８９１９号公報
【発明の概要】
【発明が解決しようとする課題】
【０００５】
しかし、コメントを投稿したユーザのアバターが一定条件の下で表示され続けるため、コンテンツに対しての短時間あたりの盛り上がり状態を認識しにくい。
【０００６】
そのため、本開示では、コンテンツに対する盛り上がりが直感的にわかるユーザ投稿情報サーバ、ユーザ投稿情報表示システム、ユーザ投稿情報表示方法およびユーザ投稿情報表示プログラムを提供することを目的とする。
【課題を解決するための手段】
【０００７】
上記の課題を解決するために、本開示のユーザ投稿情報サーバは、静的コンテンツに対するユーザ投稿情報をユーザ端末装置に表示させるためのユーザ投稿情報サーバであって、投稿されたユーザ投稿情報を受け付ける通信部と、ユーザ投稿情報が投稿されたタイミングに応じて、ユーザ投稿情報をユーザ端末装置にポップアップ表示させる制御を行う制御部とを有する。
【０００８】
また、本開示のユーザ投稿情報表示システムは、静的コンテンツを配信するコンテンツサーバと、静的コンテンツに対するユーザ投稿情報の管理を行うユーザ投稿情報サーバと、静的コンテンツとユーザ投稿情報の表示を行うユーザ端末装置と、を有するユーザ投稿情報表示システムにおいて、ユーザ投稿情報サーバは、投稿されたユーザ投稿情報を受け付ける通信部と、ユーザ投稿情報が投稿されたタイミングに応じて、ユーザ投稿情報をユーザ端末装置にポップアップ表示させる制御を行う制御部とを有する。
【０００９】
また、本開示のユーザ投稿情報表示方法は、静的コンテンツに対するユーザ投稿情報をユーザ端末装置に表示させるためのユーザ投稿情報表示方法であって、通信部が、投稿されたユーザ投稿情報を受け付ける受信ステップと、制御部が、ユーザ投稿情報が投稿されたタイミングに応じて、ユーザ投稿情報をユーザ端末装置にポップアップ表示させるための制御を行う制御ステップとを有する。
【００１０】
また、本開示のユーザ投稿情報表示プログラムは、静的コンテンツに対するユーザ投稿情報をユーザ端末装置に表示させるためのユーザ投稿情報表示プログラムであって、投稿されたユーザ投稿情報を受け付ける受信ステップと、ユーザ投稿情報が投稿されたタイミングに応じて、ユーザ投稿情報をユーザ端末装置にポップアップ表示させるための制御を行う制御ステップとをコンピュータによって実現する。
【発明の効果】
【００１１】
上述のユーザ投稿情報サーバ、ユーザ投稿情報表示システム、ユーザ投稿情報表示方法およびユーザ投稿情報表示プログラムによれば、ポップアップの状態によってユーザがコンテンツに対する盛り上がりが直感的に認識することができる。
【図面の簡単な説明】
【００１２】
【図１】実施形態に係るユーザ投稿情報表示システム１の構成を示す概略ブロック図である。
【図２】第１の実施形態に係るニュースまとめサイトのトップページの表示をする画像の平面図である。
【図３】第１の実施形態に係るトップページから選択された個別のニュースコンテンツの表示をする画像の平面図である。
【図４】第１の実施形態に係る個別のニュースの表示をする画像と一体に構成されるタイムライン表示を示す画像の平面図である。
【図５】第１の実施形態に係る個別のニュースコンテンツの表示をする画像のポップアップ表示禁止領域を示す平面図である。
【図６】第１の実施形態に係るユーザ投稿情報サーバの動作について説明するためのフローチャートである。
【図７】第２の実施形態に係るトップページから選択された個別のニュースコンテンツの表示をする画像の平面図である。
【図８】第２の実施形態に係るトップページから選択された個別のニュースコンテンツの表示をする画像の平面図である。
【図９】第２の実施形態に係る個別のニュースの表示をする画像と一体に構成されるタイムライン表示を示す画像の平面図である。
【図１０】第３の実施形態に係るトップページから選択された個別のニュースコンテンツの表示をする画像の平面図である。
【図１１】第３の実施形態に係る個別のニュースの表示をする画像と一体に構成されるタイムライン表示を示す画像の平面図である。
【図１２】第３の実施形態に係るトップページから選択された個別のニュースコンテンツの表示をする画像の他のバリエーションを示す平面図である。
【図１３】第４の実施形態に係るトップページから選択された個別のニュースコンテンツの表示をする画像の平面図である。
【図１４】実施形態に係るコンピュータの構成を示す概略ブロック図である。
【発明を実施するための形態】
【００１３】
以下、本実施形態について説明する。なお、以下に説明する本実施形態は、特許請求の範囲に記載された本開示の内容を不当に限定するものではない。また本実施形態で説明される構成の全てが、本開示の必須構成要件であるとは限らない。
【００１４】
（第１の実施形態）
＜構成＞
まず、図１を用いて本実施形態に係る静的コンテンツに対するユーザ投稿情報の表示を行うユーザ投稿情報表示システム１の構成及びその概要について説明する。静的コンテンツとは、例えばテキストデータからなるコンテンツや、絵や写真等の静止画像のコンテンツや、それらの組み合わせからなるコンテンツを示す。また、静的コンテンツには、ｖｉｄｅｏタグのような動的コンテンツへのリンク情報を含んでいても構わない。以下の実施形態においては、静的コンテンツとしてテキストデータと写真が組み合わされたニュースコンテンツを代表例として説明を行う。ユーザ投稿情報とは、静的コンテンツに対するユーザの感想や突っ込みなどのコメントであったり、コンテンツの配信者が投稿する情報や、コンテンツサーバ１２１やユーザ投稿情報サーバ１５１の運営者が投稿する情報も含む。ユーザ投稿情報は、テキスト情報や、アイコンやスタンプ等の図形からなる情報である。以下の実施形態においては、ユーザ投稿情報としてコメントを代表例として説明を行う。なお、図１は、ユーザ投稿情報表示システム１のブロック図である。また、ユーザ投稿情報表示システム１は、ニュースサーバから配信されるニュースコンテンツをコンテンツサーバでまとめてユーザ端末装置で表示可能とするシステムを提供するものである。
【００１５】
本実施形態のユーザ投稿情報表示システム１は、図１に示すように、ニュースサーバＡ１１１ａとニュースサーバＢ１１１ｂ（以下まとめてニュースサーバ１１１と呼ぶ）、コンテンツサーバ１２１と、ユーザ端末装置Ａ１４１ａ、ユーザ端末装置Ｂ１４１ｂと、ユーザ投稿情報サーバ１５１とが、例えばインターネットなどのネットワーク１３１に接続可能に構成されている。
【００１６】
ニュースサーバ１１１は、ニュース記事を、ネットワーク１３１を介して提供するＷＥＢサーバである。
【００１７】
コンテンツサーバ１２１は、ニュースサーバ１１１からＲＳＳ（Ｒｅａｌｌｙ  Ｓｉｍｐｌｅ  Ｓｙｎｄｉｃａｔｉｏｎ）により提供されるＲＳＳフィードをＲＳＳリーダにより読み出し、更新されたニュースコンテンツのタイトル等を収集することで、ユーザ端末装置１４１に対してニュースコンテンツの配信を行う。ニュースコンテンツの内容は、ニュースサーバ１１１から配信されるデータである。なお、コンテンツサーバ１２１は、ＲＳＳ以外の方法でニュースコンテンツのタイトル等を収集しても構わない。
【００１８】
次に、ユーザ端末装置１４１の構成と動作について説明する。ユーザ端末装置１４１は、スマートフォン、携帯電話、ＰＨＳ、コンピュータ、ゲーム装置、ＰＤＡ、携帯型ゲーム機、腕時計、スマートウォッチ、ヘッドマウントディスプレイ、ウェアラブルディスプレイ、画像生成装置等の情報処理装置である。また、ユーザ端末装置１４１は、インターネット（ＷＡＮ）、ＬＡＮなどのネットワーク１３１を介してニュースサーバ１１１、コンテンツサーバ１２１、ユーザ投稿情報サーバ１５１に接続可能な装置である。なお、ユーザ端末装置１４１、ニュースサーバ１１１、コンテンツサーバ１２１、ユーザ投稿情報サーバ１５１間の通信回線は有線でもよいし無線でもよい。
【００１９】
また、ユーザ端末装置１４１は、インストールされた専用のアプリケーションソフトウェアによってニュースサーバ１１１、コンテンツサーバ１２１やユーザ投稿情報サーバ１５１にアクセスしてもよい。また、コンテンツサーバ１２１やユーザ投稿情報サーバ１５１、別途サーバが提供する動作環境（ＡＰＩ（アプリケーションプログラミングインタフェース）、プラットフォーム等）を利用して、ニュースサーバ１１１、コンテンツサーバ１２１やユーザ投稿情報サーバ１５１にアクセスしてもよい。
【００２０】
ユーザ端末装置１４１は、コンテンツサーバ１２１にアクセスし、コンテンツサーバ１２１が収集したニュースコンテンツを表示することができる。また、ユーザがニュースコンテンツに対するコメントを投稿することができ、また、自分や他人のコメントを表示することができる。投稿されたコメントは、ユーザ投稿情報サーバ１５１で管理される。
【００２１】
ユーザ投稿情報サーバ１５１は、ニュースコンテンツに対して投稿されたコメントの管理を行うサーバ装置である。ユーザ投稿情報サーバ１５１とコンテンツサーバ１２１は、１つの装置やプロセッサで構成されていてもよいし、複数の装置やプロセッサで構成されていてもよい。さらに、ユーザ投稿情報サーバ１５１とコンテンツサーバ１２１は、物理的に一体の装置として構成されていてもよい。
【００２２】
ユーザ投稿情報サーバ１５１は、通信部１５２と、制御部１５３と、記憶部１５４とを備える。
【００２３】
通信部１５２は、ネットワーク１３１を介してニュースサーバ１１１、コンテンツサーバ１２１、ユーザ端末装置１４１等と通信を行う通信インタフェースである。通信部１５２は、例えばユーザ端末装置１４１から送信されたコメントをコメント投稿者の情報と共に受信を行い、また、ユーザ投稿情報サーバ１５１に記憶されているコメントをユーザ端末装置１４１に対して表示を行うための配信を行う。
【００２４】
制御部１５３は、受信したコメントの表示状態の制御を行い、コンテンツサーバ１２１を介して、ユーザ端末装置１４１へのコメントの配信を行う。具体的には、制御部１５３は、受信したコメントをユーザ端末装置１４１の表示としてコメント投稿者の情報に基づくアイコン情報とともにポップアップ表示させるための制御を行う。また、ポップアップ表示の位置や、表示時間、ポップアップ表示の文字色や背景色、背景の模様等の制御を行う。さらに、後述する記憶部１５４に対して、受信したコメントおよびコメントに関する情報を記憶するための制御を行う。また、ユーザ端末装置１４１の表示状態の判定を行う。
【００２５】
記憶部１５４は、受信したコメントにコメント投稿者情報や投稿時間情報等のコメントに関する情報を合わせてニュースコンテンツと対応させて記憶を行う。
【００２６】
＜表示の態様＞
本開示の第１の実施形態に係るユーザ端末装置１４１の表示画像について、図２から図５を用いて説明する。図２は、ユーザ端末装置１４１に表示されるニュースまとめサイトのトップページの表示をする画像の平面図である。図３は、図２で示すトップページから選択された個別のニュースコンテンツの表示をする画像の平面図である。図４は、図３で示す個別のニュースコンテンツ表示を行う画像と一体に構成されるタイムライン表示を行う画像の平面図である。図５は、図３におけるポップアップ表示禁止領域を示す平面図である。なお、図２から図５は、ハンドルネーム「ゴン」というユーザが、当該システムにログインして使用をしている状態を示す。以下に、各図の構成について説明する。
【００２７】
図２は、ユーザ端末装置１４１に表示される新着のニュースコンテンツの一覧が表示された、ニュースまとめサイトのトップページ画像を示す平面図である。トップページ画像は、新着ニュースのコンテンツ一覧をまとめた新着ニュース一覧表示フィールド２０１と、話題となっているニュースコンテンツのトピックスをまとめたトピックス一覧表示フィールド２０２と、当該サイトに掲載される広告を表示する広告表示フィールド２０３、２０４、２０５と、表示画面のスクロール状態を制御するスクロールバー２０９を含んで構成される。図２の新着ニュース一覧表示フィールド２０１には、５つのニュースコンテンツが表示されている。スクロールバー２０９により、表示画面をスクロールすることにより、さらに多くのニュースコンテンツを表示することができる。新着ニュース一覧表示フィールド２０１は、画像の左からニュースコンテンツに掲載されている写真、ニュースのタイトル、当該ニュースコンテンツに対するコメント数が表示される。ニュースのタイトルの下には、掲載日時やニュースコンテンツのＲＳＳによる引用元等が表示される。コメント数の表示部分は、重畳してリアルタイムに投稿されたコメントがポップアップ表示される。ユーザは、新着ニュース一覧やトピックス一覧をクリックすることで、該当するニュースの表示画面に移動することができる。なお、スクロールバー２０９は、新着ニュース一覧表示フィールド２０１の横に配置し、新着ニュースのみをスクロールさせてもよい。それによって、トピックス一覧表示フィールド２０２や広告表示フィールド２０３、２０４、２０５等は、スクロールをしても表示を維持することができる。
【００２８】
図３は、ユーザ端末装置１４１に表示される図２で示すニュースまとめサイトのトップページ画像からユーザが選択した個別のニュースコンテンツ表示画像の平面図である。個別のニュースコンテンツ表示画像は、ニュースのタイトルや、掲載日時や、ニュースコンテンツの引用元等を表示するニュースタイトル表示フィールド２１１と、ニュースコンテンツの内容である記事や写真等を表示するニュースコンテンツ表示フィールド２１２と、図２と同様に、話題となっているニュースのトピックスをまとめたトピックス一覧表示フィールド２０２と、当該サイトに掲載される広告を表示する広告表示フィールド２０３、２０４、２０５を含んで構成される。画像の右には、表示画面のスクロール状態を制御するスクロールバー２０９が構成される。
【００２９】
さらに画像の下方には、表示されるニュースコンテンツに対するコメントを入力するためのコメント入力フィールド２１３が構成される。コメント入力フィールド２１３は、コメントを入力するためのコメント入力欄と、コメントを投稿するための「コメント」ボタンが配置される。コメント入力フィールド２１３は、システムにログインしている「ゴン」を示すアイコンと、その下に「ゴン」の名前が表示されている。コメント入力フィールド２１３のコメント入力欄からコメントを入力し、「コメント」ボタンを押して投稿すると、投稿完了とほぼ同じタイミングで、コメント投稿者のアイコンとともに入力したコメントがニュースコンテンツ表示フィールド２１２にポップアップ表示される。図３は、「ゴン」がコメントとして「増税キツイわ！」と投稿しているため、コメント投稿者アイコン２１４として「ゴン」を示すアイコンとともにポップアップ表示２１６として「増税キツイわ！」のコメントのポップアップ表示が行われる。また、同じニュースコンテンツを見ている他のユーザ端末装置１４１のユーザがコメントの投稿を行った場合にも、当該コメントがニュースコンテンツ表示フィールド２１２にポップアップ表示される。図３のニュースコンテンツ表示フィールド２１２は、他のユーザ端末装置Ｂ１４１ｂのログインユーザである「ごぶごぶ」からの投稿がされている。コメント投稿者アイコン２１５として、「ごぶごぶ」を示すアイコンとともに、ポップアップ表示２１７として「しかたないんじゃね」のコメントのポップアップ表示が行われる。これらのポップアップ表示は、表示されてから数秒から数分の所定時間が経過すると消える。そのため、コメントが投稿されたタイミングを他のユーザがリアルタイムに認識することができる。
【００３０】
図４は、図３で示す個別のニュースコンテンツ表示を行う画像と一体に構成されるタイムライン表示画像の平面図である。具体的には、図３の個別のニュースコンテンツ表示画像をスクロールすることによって、図４のタイムライン表示画像をユーザ端末装置１４１の画面に表示する。その際、図３で表示されていたコメント投稿者アイコン２１４、２１５やポップアップ表示２１５、２１７は、ニュースコンテンツ表示画像のスクロールに伴って移動する。タイムライン表示画像は、タイムライン表示フィールド２２１に、入力されたコメントが時系列に並べて表示される。タイムライン表示フィールド２２１は、上に表示されるコメント程新しく投稿されたコメントである。タイムライン表示フィールド２２１に表示されるタイムライン表示は、各コメントについて、左からコメント投稿者を示すアイコン、コメント投稿者のログイン名とコメントの内容、コメントの投稿を行った日時情報から構成される。図３の例で示したように、「ゴン」による投稿である「増税キツイわ！」と、その後に「ごぶごぶ」により投稿された「しかたないんじゃね」は、タイムライン表示の下から２つのコメントに対応する。また画像の右には、表示画面のスクロール状態を制御するスクロールバー２０９が構成される。本実施形態では、コメント投稿者アイコンやポップアップ表示は、ニュースコンテンツ表示画像のスクロールに伴って移動するが、スクロールに伴わずに、当初の表示位置に固定して表示しても構わない。その際、ニュースコンテンツ表示画像のスクロールに伴い、後述するポップアップ表示禁止領域にコメント投稿者アイコンやポップアップ表示が重なる場合には、表示を移動させても構わない。
【００３１】
さらに画像の下方には、図４と同様に、ニュースコンテンツに対するコメントを入力するためのコメント入力フィールド２１３が構成される。コメント入力フィールド２１３は、コメントを入力するためのコメント入力欄と、コメントを投稿するための「コメント」ボタンが配置される。そのため、ユーザは、タイムライン表示画像を表示している場合でもコメントを投稿することができる。なお、タイムライン表示画像を表示している場合には、ポップアップ表示を禁止しても構わない。ポップアップ表示によって、タイムライン表示の上に可読性を低下させないようにするためである。ユーザ端末装置１４１において、タイムライン表示を行っているかどうかは、画面のスクロールによってタイムライン表示がどの程度の面積で表示されているかを識別することによって判定してもよいし、カーソルやマウスポインタの位置がタイムライン表示領域にあるかどうかで判定してもよいし、その他の方法で判定しても構わない。また、タイムライン表示から個別のニュースコンテンツ表示を行う画像に表示を戻したときは、ポップアップ表示が禁止されていた期間に投稿されたコメントを短期間のうちにポップアップ表示を行っても構わない。
【００３２】
図５は、図３で示す個別のニュースコンテンツ表示を行う画像に対して、ポップアップ表示禁止領域（着色部)を重畳して示した平面図である。図５は、図３に対してコメントの投稿数が増加しポップアップ表示が多く表示されている画像である。短期間に投稿されるコメントの投稿数が増加した場合、前に投稿されたコメントのポップアップ表示が消える前に、次に投稿されたコメントをポップアップ表示することになる。そのため、ポップアップ表示同士が重ならないように表示するためには、ポップアップ表示を行うために必要な領域を多く必要とすることになる。制御部１５３は、ニュースコンテンツの記事の領域に投稿されたコメントのポップアップ表示する制御を行う。制御部１５３がポップアップ表示する制御を行う領域は、ポップアップ表示禁止領域を以外の領域に限定されている。制御部１５３は、システム操作や、他のニュースコンテンツへの誘導を妨げないようにするため、当該サイトのシステム情報の表示を行うシステム表示フィールド２１９やトピックス一覧表示フィールド２０２に対してポップアップ表示する制御を行うことは禁止される。また、ポップアップ表示がされているニュースコンテンツの内容を認識できるようにするために、ニュースタイトル表示フィールド２１１もポップアップ表示する制御は禁止される。また、広告表示を妨げないために、広告表示フィールド２０３、２０４、２０５もポップアップ表示する制御を行うことは禁止される。ポップアップ表示禁止領域は、ニュースコンテンツの制作者が、ニュースコンテンツにポップアップ禁止領域情報を複合化して設定を行っても構わない。例えば、ニュース記事に付随する写真の領域に対して、ニュースコンテンツの制作者がポップアップ表示禁止領域として設定することにより、写真に対して重畳してポップアップ表示されることを防止することができる。
【００３３】
同じユーザが複数のコメントを投稿した場合には、制御部１５３は、投稿者を示す１つのアイコンに対して複数のコメントをポップアップ表示する制御を行う。図５において、「ゴン」は、「増税キツイわ！」と「たしかにー」の２つのコメントを投稿しているため、制御部１５３は、「ゴン」を示すアイコンに付随して２つのコメントをポップアップ表示する制御を行う。
【００３４】
＜処理の流れ＞
次に、本開示の第１の実施形態に係るユーザ投稿情報表示システム１におけるユーザ投稿情報サーバ１５１の動作について、図６に示すフローチャートを参照しながら説明する。
【００３５】
ステップＳ１０１において、ユーザ投稿情報サーバ１５１は、コンテンツサーバ１２１からのコメント表示のリクエストを受信する。ユーザが、ユーザ端末装置Ａ１４１ａからコンテンツサーバ１２１が配信するニュースコンテンツの表示リクエストを行った場合、ユーザ端末装置Ａ１４１ａに対してコンテンツサーバ１２１からニュースコンテンツが配信される。それと同時に、コンテンツサーバ１２１から、配信するニュースコンテンツに対応するコメント表示リクエストがユーザ投稿情報サーバ１５１に送信される。通信部１５２は、コメント表示リクエストを受信し、制御部１５３へ送信する。
【００３６】
ステップＳ１０２において、コメント表示リクエストを受信した制御部１５３は、ユーザ投稿情報サーバ１５１の機能を、ユーザ端末装置Ａ１４１ａにおいてニュースコンテンツの表示が終了するまでの間、ステップＳ１０９までのループとして行う。
【００３７】
ステップＳ１０３において、制御部１５３は、ユーザ端末装置１４１からのコメントの投稿が有るかどうかの判定を行う。この場合のユーザ端末装置１４１は、ユーザ端末装置Ａ１４１ａのみならず、ステップＳ１０１において受信したコメント表示リクエストに対応するニュースコンテンツを表示する全てのユーザ端末装置１４１を対象とする。すなわち、ニュースコンテンツを表示する全てのユーザ端末装置１４１からのコメントの投稿を対象として判定を行う。通信部１５２は、ユーザ端末装置１４１から投稿されたコメントを受信し、制御部１５３へ送信する。制御部１５３は、コメントの投稿が有り（Ｙ）と判定した場合、ステップＳ１０４へ処理を進める。コメントの投稿が無し（Ｎ）と判定した場合、ステップＳ１０９へ処理を進める。
【００３８】
ステップＳ１０４において、記憶部１５４は、通信部１５２が受信したコメントと、コメントに関する情報としてのコメント投稿者情報や投稿時間情報等を、ニュースコンテンツと対応したデータとして記憶を行う。
【００３９】
ステップＳ１０５において、制御部１５３は、ユーザ端末装置Ａ１４１ａの表示状態を判定する。制御部１５３は、ユーザ端末装置Ａ１４１ａの画面がタイムラインを表示している（Ｙ）と判定した場合、ステップＳ１０９へ処理を進める。タイムラインを表示していない（Ｎ）と判定した場合、ステップＳ１０６へ処理を進める。
【００４０】
ステップＳ１０６において、制御部１５３は、ユーザ端末装置Ａ１４１ａの表示状態から、コメントのポップアップ表示領域が有るかどうかの判定を行う。先に他のコメントのポップアップ表示がある場合、ステップＳ１０３で判定したコメントは、先のコメントのポップアップ表示とは異なる領域に表示される。制御部１５４は、先のコメントの表示が多い場合や、コメントの長さが長く、ポップアップ表示を行う領域が不足している場合にはポップアップ表示領域が無し（Ｎ）と判定され、ステップＳ１０７へ処理を進める。ポップアップ表示領域が有る（Ｙ）と判定された場合、ステップＳ１０８へ処理を進める。
【００４１】
ステップＳ１０７において、制御部１５３は、先のコメントのポップアップ表示のうち、古い表示について消去を行う。消去する順序は、記憶部１５４に記憶されている投稿時間情報を参照し、最も古いコメントのポップアップ表示を消去する。消去により表示領域が増加するため、ステップＳ１０６に戻り、再度ポップアップ領域が有るかどうかの判定を行う。
【００４２】
ステップＳ１０８において、制御部１５３は、受信したコメントのポップアップ表示を行う制御を行う。通信部１５２は、ポップアップ表示を行う制御が行われたコメントをコンテンツサーバ１２１へ送信する。ユーザ端末装置１４１は、コンテンツサーバ１２１で、ニュースコンテンツに重畳されたコメントを、ニュースコンテンツ上でポップアップ表示を行う。制御部１５３は、ポップアップ表示を数秒から数分の所定時間で消去するように制御を行う。
【００４３】
ステップＳ１０９において、制御部１５３は、ユーザ投稿情報サーバ１５１の機能を、ユーザ端末装置Ａ１４１ａにおいてニュースコンテンツの表示が終了するまでの間、ステップＳ１０２までのループとして行う。
【００４４】
＜効果の説明＞
以上のように、本開示の第１の実施形態に係るユーザ投稿情報サーバ１５１は、ユーザ端末装置１４１から投稿されたコメントを所定時間の間ポップアップ表示する制御を行う。それにより、ユーザは、他のユーザが投稿したコメントを、今投稿されたばかりのものとしてリアルタイムに認識することができ、ニュースコンテンツに対するユーザの反応の盛り上がりを容易に認識することができる。
【００４５】
ポップアップ表示は、表示の有無をユーザが任意に切り替えてもよい。表示を「無し」としている期間に投稿されたコメントを、表示を「有り」と切り替えたタイミングで短期間にポップアップ表示を行っても構わない。
【００４６】
また、本実施形態は、ポップアップ表示領域が不足していると判定した場合、先のコメントのポップアップ表示を削除したが、制御部１５３は、先のコメントや新たに表示するコメントのポップアップ表示を小さくすることで、表示領域を確保しても構わない。また、制御部１５３は、新たに表示するコメントのポップアップ表示の文字の透明度や背景色の透明度を変更し、例えば半透明にすることで、先のコメントのポップアップ表示を見えるようにしながら重ねて表示を行っても構わない。さらに制御部１５３は、例えば、ポップアップ表示の枠であるポップアップ表示の形状を変更しても構わない。また、制御部１５３は、コメントの衝突判定を行い、ポップアップ表示を行うコメントの数を減らしても構わない。
【００４７】
また、ニュースコンテンツにおける静的コンテンツであるテキストデータである記事に付随するものは、動画であっても構わない。その場合、動画を表示する領域をポップアップ表示禁止領域として設定しても構わない。
【００４８】
（第２の実施形態）
＜表示の態様＞
本開示の第２の実施形態に係るユーザ投稿情報表示を行うユーザ投稿情報サーバ１５１を含む、ユーザ投稿情報表示システム１の構成及びその概要は、第１の実施形態に示す図１と同等である。そのため、本開示の第２の実施形態に係るユーザ投稿情報サーバ１５１がユーザ端末装置１４１において表示する動作について、図７から９を用いて説明する。なお、図７から図９は、ハンドルネーム「ゴン」というユーザが、当該システムにログインして使用をしている状態を示す。
【００４９】
図７は、ニュースまとめサイトのトップページからユーザが選択した個別のニュースコンテンツ表示を行う画像の平面図である。個別のニュースコンテンツ表示を行う画像は、ニュースのタイトルや、掲載日時や、ニュースコンテンツの引用元等の表示を行うニュースタイトル表示フィールド２１１と、ニュースコンテンツの内容である記事や写真等の表示を行うニュースコンテンツ表示フィールド２１２と、話題となっているニュースのトピックスをまとめたトピックス一覧表示フィールド２０２と、当該サイトに掲載される広告を表示する広告表示フィールド２０３、２０４、２０５を含んで構成される。画像の右には、表示画面のスクロール状態を制御するスクロールバー２０９を含んで構成される。
【００５０】
さらに画像の下方には、表示されるニュースコンテンツに対するコメントを入力するためのコメント入力フィールド２１３が構成される。コメント入力フィールド２１３は、コメントを入力するためのコメント入力欄と、コメントを投稿するための「コメント」ボタンが配置される。コメント入力フィールド２１３は、システムにログインしている「ゴン」を示すアイコンと、その下に「ゴン」の名前が表示されている。コメント入力フィールド２１３のコメント入力欄からコメントを入力し、「コメント」ボタンを押して投稿すると、投稿完了とほぼ同じタイミングで、コメント投稿者のアイコンとともに入力したコメントがニュースコンテンツ表示フィールド２１２にポップアップ表示される。図７は、「ゴン」がコメントとして「増税キツイわ！」と投稿しているため、コメント投稿者アイコン２１４として「ゴン」を示すアイコンとともにポップアップ表示２１６として「増税キツイわ！」のコメントのポップアップ表示が行われる。また、同じニュースコンテンツを見ている他のユーザ端末装置１４１のユーザがコメントの投稿を行った場合にも、当該コメントがニュースコンテンツ表示フィールド２１２にポップアップ表示される。図７のニュースコンテンツ表示フィールド２１２には、他のユーザ端末装置Ｂ１４１ｂのログインユーザである「ごぶごぶ」からの投稿がされている。コメント投稿者アイコン２１５として、「ごぶごぶ」を示すアイコンとともに、ポップアップ表示２１７として「しかたないんじゃね」のコメントのポップアップ表示が行われる。これらのポップアップ表示は、表示されてから数秒から数分の所定時間が経過すると消える。そのため、コメントが投稿されたタイミングを他のユーザがリアルタイムに認識することができる。
【００５１】
図７は、コメントの投稿者として「ゴン」と「ごぶごぶ」の２名が単位時間内にそれぞれ１つのコメントを投稿した状態を示しており、コメントの投稿が低頻度である状態を示している。ユーザ投稿情報サーバ１５１の制御部１５３は、コメントが投稿される時間の間隔の演算を行い、間隔に応じてポップアップ表示の色を変更させるため、投稿されたコメントに対し表示色属性情報を付与する。図７の低頻度での投稿の場合、制御部１５３は、表示色属性情報を青色に設定する。その結果、「ゴン」の投稿した「増税キツイわ！」と、「ごぶごぶ」の投稿した「しかたないんじゃね」は、青色の背景のポップアップ表示が行われる。
【００５２】
次に、図８について説明する。図８は、図７と同じくニュースまとめサイトのトップページからユーザが選択した個別のニュースコンテンツ表示を行う画像の平面図である。図７との違いは、単位時間内に投稿されたコメントの数が多いことである。すなわち、各投稿されたコメントの投稿間隔が短く、コメントの投稿が高頻度である状態を示している。図８の高頻度での投稿の場合、制御部１５３は、表示色属性情報を赤色に設定する。その結果、各投稿されたコメントは、赤色の背景でポップアップ表示する制御が行われる。すなわち、「３０％はきついだろ」、「税率あがっても福祉とか充実してるならいいんだけどな」、「たしかにー」、「不動産買ってないから優遇制度があっても関係ないな」、「同じく！」、「同じく！」は短時間の間に投稿されたコメントであるため、高頻度の投稿として赤色の背景でポップアップ表示する制御が行われる。
【００５３】
次に、図９について説明する。図９は、図７、図８で示す個別のニュースコンテンツ表示を行う画像と一体に構成されるタイムライン表示を行う画像の平面図である。具体的には、図７、図８の個別のニュースコンテンツ表示の画像をスクロールすることによって、図９のタイムライン表示の画像をユーザ端末装置１４１の画面に表示することができる。タイムライン表示は、タイムライン表示フィールド２２１に、入力されたコメントが時系列に並べて表示される。図９は、上に表示されるコメント程新しく投稿されたコメントである。タイムライン表示は、各コメントについて、左からコメント投稿者を示すアイコン、コメント投稿者のログイン名とコメントの内容、コメントの投稿を行った日時情報が表示される。図３の例で示した、「ゴン」による投稿である「増税キツイわ！」と、その後に「ごぶごぶ」により投稿された「しかたないんじゃね」は、タイムライン表示の下から２つのコメントに対応する。また、表示画面のスクロール状態を制御するスクロールバー２０９を含んで構成される。
【００５４】
制御部１５３は、タイムライン表示における各コメントを、各コメントに関連付けられている表示色属性情報を背景色として表示する。すなわち、図７で説明した、「ゴン」の投稿した「増税キツイわ！」と、「ごぶごぶ」の投稿した「しかたないんじゃね」のコメントは、青色の表示色属性情報付与されているため、タイムラインの低頻度領域２３１の背景色は青色で表示する制御が行われる。図８で示すように、「３０％はきついだろ」、「税率あがっても福祉とか充実してるならいいんだけどな」、「たしかにー」、「不動産買ってないから優遇制度があっても関係ないな」、「同じく！」、「同じく！」のコメントは、赤色の表示色属性情報が付与されているため、タイムライン表示の高頻度領域２３２の背景色は赤色で表示する制御が行われる。「ぴぽー」の投稿した「同意！」のコメントは、「けろ」の投稿した「同じく！」から時間が経過して投稿されたものであるため、投稿頻度が低いものとして青色の表示色属性が付与され、タイムライン表示の背景色は青色で表示する制御が行われる。ただし、その後に投稿されるコメントが短時間の間隔で投稿された場合、「同意！」のコメントの表示色属性情報を赤色に変更しても構わない。その場合、ポップアップ表示の背景色およびタイムライン表示の背景色も赤色に変更する制御を行う。
【００５５】
＜効果の説明＞
以上のように、ポップアップ表示の背景の色をユーザが見ることにより、コメントの投稿の頻度を直感的に認識し、ニュースコンテンツに対するコメントの盛り上がりを容易に認識することができる。また、タイムライン表示の背景色が投稿の頻度によって変わるために、タイムライン表示を見ることで盛り上がりの流れを容易に認識することができる。
【００５６】
本実施形態では、色を青と赤の二種類としたが、投稿の時間間隔に応じて連続的に色を変更させても構わない。また、ポップアップ表示やタイムライン表示の背景色でなく、表示されるコメントの文字色を変更させても構わない。さらに、色の変更ではなく、ポップアップ表示やタイムライン表示の背景の模様を変更させても構わない。また、ポップアップ表示の文字のフォントを変更させても構わない。
【００５７】
（第３の実施形態）
＜表示の態様＞
本開示の第３の実施形態に係るユーザ投稿情報表示を行うユーザ投稿情報サーバ１５１を含む、ユーザ投稿情報表示システム１の構成及びその概要は、第１の実施形態に示す図１と同等である。そのため、本開示の第３の実施形態に係るユーザ投稿情報サーバ１５１がユーザ端末装置１４１において表示する動作について、図１０と図１１を用いて説明する。なお、図１０と図１１は、ハンドルネーム「ゴン」というユーザが、当該システムにログインして使用をしている状態を示す。
【００５８】
図１０は、ニュースまとめサイトのトップページからユーザが選択した個別のニュースコンテンツ表示を行う画像の平面図である。個別のニュースコンテンツ表示を行う画像は、ニュースのタイトルや、掲載日時や、ニュースコンテンツの引用元等の表示を行うニュースタイトル表示フィールド２１１と、ニュースコンテンツの内容である記事や写真等の表示を行うニュースコンテンツ表示フィールド２１２と、話題となっているニュースのトピックスをまとめたトピックス一覧表示フィールド２０２と、当該サイトに掲載される広告を表示する広告表示フィールド２０３、２０４、２０５を含んで構成される。画像の右には、表示画面のスクロール状態を制御するスクロールバー２０９が構成される。
【００５９】
さらに画像の下方には、表示されるニュースコンテンツに対するコメントを入力するためのコメント入力フィールド２１３が構成される。コメント入力フィールド２１３は、コメントを入力するためのコメント入力欄と、コメントを投稿するための「賛成」ボタンと「反対」ボタンが配置される。ユーザは、コメントを投稿する際に、自分のコメントが、ニュースコンテンツに対して「賛成」の立場であるか、「反対」の立場であるかを、投稿時に選択することができる。「賛成」ボタンを押すことで投稿されたコメントには、コメントの内容がニュースコンテンツに対して「賛成」である属性を示す情報が付与される。また、「反対」ボタンを押すことで投稿されたコメントには、コメントの内容がニュースコンテンツに対して「反対」である属性を示す情報が付与される。図１０は、システムにログインしている「ゴン」を示すアイコンと、その下に「ゴン」の名前が表示されている。「ゴン」は、コメント入力フィールド２１３のコメント入力欄から「増税キツイわ！」というコメントを入力し、「反対」ボタンを押して投稿している。そのため、「増税キツイわ！」のコメントには「反対」の属性情報が付与されている。コメントの投稿完了とほぼ同じタイミングで、コメント投稿者のアイコンともに入力したコメントがニュースコンテンツ表示フィールド２１２にポップアップ表示される。また、同じニュースコンテンツを見ている他のユーザ端末装置１４１のユーザがコメントの投稿を行った場合にも、当該コメントがニュースコンテンツ表示フィールド２１２にポップアップ表示される。図１０は、他のユーザ端末装置Ｂ１４１ｂのログインユーザである「ごぶごぶ」からの投稿がされている。コメント投稿者アイコン２１５として、「ごぶごぶ」を示すアイコンとともに、ポップアップ表示２１７として「しかたないんじゃね」のコメントのポップアップ表示が行われる。「ごぶごぶ」は、「しかたないんじゃね」のコメントを「賛成」ボタンを押して投稿しているため、「しかたないんじゃね」のコメントには「賛成」の属性情報が付与されている。ここで、制御部１５３は、「賛成」の属性情報が付与されているコメントはポップアップ表示の背景色を青色とする制御を行い、「反対」の属性情報が付与されているコメントはポップアップ表示の背景色を赤色とする制御を行う。そのため、「増税キツイわ！」のポップアップ表示の背景色は赤色となり、「しかたないんじゃね」のポップアップ表示の背景色は青色として表示される。
【００６０】
次に、図１１について説明する。図１１は、図１０で示す個別のニュースコンテンツ表示を行う画像と一体に構成されるタイムライン表示を行う画像の平面図である。具体的には、図１０の個別のニュースコンテンツ表示の画像をスクロールすることによって、図１１のタイムライン表示の画像をユーザ端末装置１４１の画面に表示させることができる。タイムライン表示は、タイムライン表示フィールド２２１に、入力されたコメントが時系列に並べて表示される。図１１は、上に表示されるコメント程新しく投稿されたコメントである。タイムライン表示は、各コメントについて、左からコメント投稿者を示すアイコン、コメント投稿者のログイン名とコメントの内容、コメントの投稿を行った日時情報が表示される。図１０の例で示した、「ゴン」による投稿である「増税キツイわ！」と、その後に「ごぶごぶ」により投稿された「しかたないんじゃね」は、タイムライン表示の下から２つのコメントに対応する。
【００６１】
制御部１５３は、タイムライン表示における各コメントを、各コメントに付与されている「賛成」と「反対」の属性情報に応じた色で背景色の表示を行う。すなわち、図１０で説明したように、「ゴン」の投稿した「増税キツイわ！」のコメントは、「反対」の属性情報が付与されているため、当該コメントのタイムライン表示の背景色を赤色と表示する制御を行う。そのため、「増税キツイわ！」のタイムライン表示の背景色は赤色となる。また、「ごぶごぶ」の投稿した「しかたないんじゃね」のコメントは、「賛成」の属性情報が付与されているため、当該コメントはタイムライン表示の背景色を青色とする制御を行う。このようにタイムライン表示を制御することにより、ユーザがタイムライン表示を見た場合に、賛成のコメントと反対のコメントを直感的に認識することができる。
【００６２】
図１２は、図１０で示すニュースまとめサイトのトップページからユーザが選択した個別のニュースコンテンツ表示を行う画像の他のバリエーションを示す平面図である。図１２は、図１０と異なり、「賛成」と「反対」の属性が関連付けられたコメントの表示位置領域を分けて表示する制御が行われている。図１２において、ニュースコンテンツ表示フィールド２１２は、左側が賛成領域２４１であり右側が反対領域２４２となっている。そのため、「ゴン」の投稿した「増税キツイわ！」のコメント「反対」の属性情報に基づき、反対領域２４２にポップアップ表示する制御が行われる。また、「ごぶごぶ」の投稿した「しかたないんじゃね」のコメントは「賛成」の属性情報に基づき賛成領域２４１にポップアップ表示をする制御が行われる。なお、「ゴン」は賛成意見として「たしかにー」のコメントの投稿も行っているため、賛成領域２４１と反対領域２４２に「ゴン」を示すアイコンの表示が行われる。さらに、賛成意見と反対意見のコメント数の比率によって、賛成領域２４１と反対領域２４２の境界をリアルタイムに変更する処理を行っても構わない。
【００６３】
また、コメント入力フィールド２１３に配置されるコメントを投稿するための属性情報が表示されたボタンは、ニュースコンテンツの内容に応じて変更しても構わない。例えば、「Ａチーム対Ｂチーム」のスポーツ競技に関するニュースコンテンツにおいて、コメント入力フィールド２１３は、コメントを投稿するための「Ａチーム」ボタンと「Ｂチーム」ボタンを配置しても構わない。制御部１５３は、「Ａチーム」の属性情報と「Ｂチーム」の属性情報に基づき表示色の制御や表示位置の制御を行うことができる。
【００６４】
また、属性情報は、「賛成」と「反対」や「Ａチーム」と「Ｂチーム」の２種類だけでなく、それ以外の属性情報をユーザが選択し、コメントに付与できるようにしてもかまわない。例えば、「どちらともいえない」や「どちらのファンでもない」などの属性情報を選択可能とすることで、中立的な立場や選択に迷うユーザが気軽にコメント入力をすることができる。
【００６５】
＜効果の説明＞
以上のように、ポップアップ表示の背景の色をユーザが見ることにより、コメントの投稿内容がニュースコンテンツの内容に対しての賛成意見のコメントであるか反対意見のコメントであるかを容易に認識し、ニュースコンテンツに対するコメントの盛り上がり状態を容易に認識することができる。また、タイムライン表示も賛成意見と反対意見のコメントにより背景色が変わるために、タイムライン表示を見ることで賛成意見と反対意見のコメントの投稿状態の時間的な変化を直感的に認識することができる。また、賛成意見と反対意見のコメントのポップアップ表示領域を分けることで、賛成意見と反対意見のどちらが優勢かを直感的に認識することができる。
【００６６】
本実施形態では、色を青と赤の二種類としたが、他の色を用いても構わない。また、ポップアップ表示やタイムライン表示の背景色ではなく、表示されるコメントの文字色を変更させても構わない。さらに、色の変更ではなく、ポップアップ表示やタイムライン表示の背景の模様を変更させても構わない。さらに制御部１５３は、ポップアップ表示の枠であるポップアップ表示の形状を変更させても構わない。また、ポップアップ表示の文字のフォントを変更させても構わない。
【００６７】
（第４の実施形態）
本開示の第４の実施形態に係るユーザ投稿情報表示を行うユーザ投稿情報サーバ１５１を含む、ユーザ投稿情報表示システム１の構成及びその概要は、第１の実施形態に示す図１と同等である。そのため、本開示の第４の実施形態に係るユーザ投稿情報サーバ１５１がユーザ端末装置１４１において表示させる動作について、図１３を用いて説明する。なお、図１３は、ハンドルネーム「ゴン」というユーザが、当該システムにログインして使用をしている状態を示す。
【００６８】
図１３は、ニュースまとめサイトのトップページからユーザが選択した個別のニュースコンテンツ表示を行う画像の平面図である。個別のニュースコンテンツ表示を行う画像には、ニュースのタイトルや、掲載日時や、ニュースコンテンツの引用元等の表示を行うニュースタイトル表示フィールド２１１と、ニュースコンテンツの内容である記事や写真等の表示を行うニュースコンテンツ表示フィールド２１２と、話題となっているニュースのトピックスをまとめたトピックス一覧表示フィールド２０２と、当該サイトに掲載される広告を表示する広告表示フィールド２０３、２０４、２０５と、表示画面のスクロール状態を制御するスクロールバー２０９を含んで構成される。
【００６９】
さらに画像の下方には、表示されるニュースコンテンツに対するコメントを入力するためのコメント入力フィールド２１３が構成される。コメント入力フィールド２１３は、コメントを入力するためのコメント入力欄と、コメントを投稿するための「コメント」ボタンが配置される。図１３は、システムにログインしている「ゴン」を示すアイコンと、その下に「ゴン」の名前が表示されている。コメント入力フィールド２１３のコメント入力欄からコメントを入力し、「コメント」ボタンを押して投稿すると、投稿完了とほぼ同じタイミングで、コメント投稿者のアイコンとともに入力したコメントがニュースコンテンツ表示フィールド２１２にポップアップ表示される。図１３は、「ゴン」がコメントとして「増税キツイわ！」と投稿しているため、コメント投稿者アイコン２１４として「ゴン」を示すアイコンとともにポップアップ表示２１６として「増税キツイわ！」のコメントのポップアップ表示が行われる。また、同じニュースコンテンツを見ている他のユーザ端末装置１４１のユーザがコメントの投稿を行った場合にも、当該コメントがニュースコンテンツ表示フィールド２１２にポップアップ表示される。図１３は、他のユーザ端末装置Ｂ１４１ｂのログインユーザである「ごぶごぶ」からの投稿がされている。コメント投稿者アイコン２１５として、「ごぶごぶ」を示すアイコンとともに、ポップアップ表示２１７として「しかたないんじゃね」のコメントのポップアップ表示が行われる。ここで、「ごぶごぶ」の投稿したコメントは、「ゴン」の「増税キツイわ！」のコメントに対しての返信コメントであるため、「ゴン」のアイコンと「ごぶごぶ」のアイコンを重ね合わせて表示させることで、コメントの関連性を直感的に認識することができる。
【００７０】
なお、本実施形態では、関連のあるコメントを投稿した投稿者を示すアイコンを重ね合わせて表示を行ったが、アイコンの表示を傾けて、アイコン同士が向き合うような演出を行うことで、コメントの関連性を直感的に認識できるようにしても構わない。
【００７１】
（その他の実施形態）
以上説明してきた実施形態の他に、制御部１５３が、投稿されたコメントの内容を解析し、例えば感嘆符（！）が入っているような場合には、制御部１５３は、ポップアップ表示のフレームの形状をギザギザ形状や感嘆符の形状にすることができる。投稿内容のイメージを直感的に認識することができる。また、コメントの内容に応じてポップアップ表示の文字色や背景色、背景の模様を変更させても構わない。
【００７２】
また、ニュースサーバ１１１が配信するニュースコンテンツに含まれる素材（埋め込み動画など）のリンク先にアクセスした場合においても、それまでに投稿されたコメントを維持し、ポップアップ表示やタイムライン表示を行えるようにしても構わない。
【００７３】
（プログラム）
図１０は、コンピュータ９０１の構成を示す概略ブロック図である。コンピュータ９０１は、ＣＰＵ９０２、主記憶装置９０３、補助記憶装置９０４、インタフェース９０５を備える。
【００７４】
ここで、第１の実施形態に係るユーザ投稿情報サーバ１５１を構成する各機能を実現するためのプログラムの詳細について説明する。
【００７５】
ユーザ投稿情報サーバ１５１は、コンピュータ９０１に実装される。そして、ユーザ投稿情報サーバ１５１の各構成要素の動作は、プログラムの形式で補助記憶装置９０４に記憶されている。ＣＰＵ９０２は、プログラムを補助記憶装置９０４から読み出して主記憶装置９０３に展開し、当該プログラムに従って上記処理を実行する。また、ＣＰＵ９０２は、プログラムに従って、上述した記憶部に対応する記憶領域を主記憶装置９０３に確保する。
【００７６】
当該プログラムは、具体的には、コンピュータ９０１に、静的コンテンツに対するユーザ投稿情報をユーザ端末装置に表示させるためのユーザ投稿情報表示プログラムであって、投稿された前記ユーザ投稿情報を受け付ける受信ステップと、前記ユーザ投稿情報が投稿されたタイミングに応じて、前記ユーザ投稿情報を前記ユーザ端末装置にポップアップ表示させるための制御を行う制御ステップとを実現するためのユーザ投稿情報表示プログラムである。
【００７７】
なお、補助記憶装置９０４は、一時的でない有形の媒体の一例である。一時的でない有形の媒体の他の例としては、インタフェース９０５を介して接続される磁気ディスク、光磁気ディスク、ＣＤ−ＲＯＭ、ＤＶＤ−ＲＯＭ、半導体メモリ等が挙げられる。また、このプログラムがネットワークを介してコンピュータ９０１に配信される場合、配信を受けたコンピュータ９０１が当該プログラムを主記憶装置９０３に展開し、上記処理を実行しても良い。
【００７８】
また、当該プログラムは、前述した機能の一部を実現するためのものであっても良い。さらに、当該プログラムは、前述した機能を補助記憶装置９０４に既に記憶されている他のプログラムとの組み合わせで実現するもの、いわゆる差分ファイル（差分プログラム）であっても良い。
【００７９】
以上、本開示のいくつかの実施形態を説明したが、これらの実施形態は、例として提示したものであり、発明の範囲を限定することは意図していない。コンテンツは、ニュースコンテンツに限られるものでなく、ブログサービスや、コンテンツサーバ１２１が配信するテキスト情報や写真情報等のコンテンツに対して本開示を適用しても構わない。
【００８０】
また、ユーザ投稿情報はテキスト等のコメントに限られず、アイコンやスタンプ等の図形からなる情報を含んでいても構わない。また、コンテンツの配信者や、システム管理者が投稿する情報を含んでいても構わない。
【００８１】
これら実施形態は、その他の様々な形態で実施されることが可能であり、発明の要旨を逸脱しない範囲で種々の省略、置き換え、変更を行うことができる。これら実施形態やその変形は、発明の範囲や要旨に含まれると同様に、特許請求の範囲に記載された発明とその均等の範囲に含まれるものとする。
【符号の説明】
【００８２】
１…ユーザ投稿情報表示システム
１１１…ニュースサーバ
１２１…コンテンツサーバ
１３１…ネットワーク
１４１…ユーザ端末装置
１５１…ユーザ投稿情報サーバ
１５２…通信部
１５３…制御部
１５４…記憶部
２０１…新着ニュース一覧表示フィールド
２０２…トピックス一覧表示フィールド
２０３、２０４、２０５…広告表示フィールド
２０９…スクロールバー
２１１…ニュースタイトル表示フィールド
２１２…ニュースコンテンツ表示フィールド
２１３…コメント入力フィールド
２１４、２１５…コメント投稿者アイコン
２１６、２１７…ポップアップ表示
２１９…システム表示フィールド
２２１…タイムライン表示フィールド
２３１…低頻度領域
２３２…高頻度領域
２４１…賛成領域
２４２…反対領域
９０１…コンピュータ
９０２…ＣＰＵ
９０３…主記憶装置
９０４…補助記憶装置
９０５…インタフェース
【図１】
2018165880.tif 000003
【図２】
2018165880.tif 000004
【図３】
2018165880.tif 000005
【図４】
2018165880.tif 000006
【図５】
2018165880.tif 000007
【図６】
2018165880.tif 000008
【図７】
2018165880.tif 000009
【図８】
2018165880.tif 000010
【図９】
2018165880.tif 000011
【図１０】
2018165880.tif 000012
【図１１】
2018165880.tif 000013
【図１２】
2018165880.tif 000014
【図１３】
2018165880.tif 000015
【図１４】
2018165880.tif 000016
【手続補正書】
【提出日】平成29年5月26日(2017.5.26)
【手続補正１】
【補正対象書類名】特許請求の範囲
【補正対象項目名】全文
【補正方法】変更
【補正の内容】
【特許請求の範囲】
【請求項１】
静的コンテンツに対するユーザ投稿情報をユーザ端末装置に表示させるユーザ投稿情報サーバであって、
投稿された前記ユーザ投稿情報を受け付ける通信部と、
前記ユーザ投稿情報が投稿されたタイミングに応じて、前記ユーザ投稿情報を前記ユーザ端末装置にポップアップ表示させる制御を行う制御部と、
前記通信部が受け付けた前記ユーザ投稿情報を記憶する記憶部と、を有し、
前記制御部は、前記記憶部に記憶された前記ユーザ投稿情報を、前記ポップアップ表示を行う領域とは別に前記ユーザ端末装置にタイムラインとして表示させるための制御と、ユーザ投稿情報の前記ポップアップ表示の背景の色及び／又は文字の色と、該ユーザ投稿情報に対応するタイムラインの表示の背景の色及び／又は文字の色を対応させる制御を行うユーザ投稿情報サーバ。
【請求項２】
前記制御部は、前記ポップアップ表示を前記静的コンテンツに重畳表示させる制御を行う請求項１に記載のユーザ投稿情報サーバ。
【請求項３】
前記制御部は、前記ユーザ投稿情報が投稿されたタイミングでリアルタイムに前記ユーザ投稿情報を前記ユーザ端末装置にポップアップ表示させる制御を行う請求項１又は２に記載のユーザ投稿情報サーバ。
【請求項４】
前記制御部は、表示禁止領域に前記ポップアップ表示をしないように制御を行う請求項１乃至３のいずれか一項に記載のユーザ投稿情報サーバ。
【請求項５】
前記表示禁止領域は、前記静的コンテンツに応じて設定される請求項４に記載のユーザ投稿情報サーバ。
【請求項６】
前記制御部は、前記ユーザ端末装置が前記タイムラインを表示している場合には前記ポップアップ表示をしない制御を行う請求項１乃至５のいずれか一項に記載のユーザ投稿情報サーバ。
【請求項７】
前記制御部は、前記ユーザ投稿情報の時間当たりの投稿頻度に応じてポップアップ表示の状態を変更する請求項１乃至６のいずれか一項に記載のユーザ投稿情報サーバ。
【請求項８】
前記ユーザ投稿情報は、投稿者がユーザ投稿情報を投稿する際に選択する前記ユーザ投稿情報に対応する属性情報が付与されており、
前記制御部は、前記属性情報に基づき前記ユーザ投稿情報のポップアップ表示の状態を変更する請求項１乃至７のいずれか一項に記載のユーザ投稿情報サーバ。
【請求項９】
前記制御部が変更する前記ポップアップ表示の状態は、ポップアップ表示の文字の色、ポップアップ表示の文字のフォント、ポップアップ表示の背景の色、ポップアップ表示の背景の模様、ポップアップ表示の文字の透明度、ポップアップ表示の背景色の透明度、ポップアップ表示の形状、ポップアップ表示の表示時間若しくはポップアップ表示の表示位置又はそれらの組み合わせである請求項７又は８に記載のユーザ投稿情報サーバ。
【請求項１０】
前記制御部は、前記ユーザ投稿情報とともに前記投稿者を示す投稿者情報をポップアップ表示させるための制御を行う請求項１乃至９のいずれか一項に記載のユーザ投稿情報サーバ。
【請求項１１】
前記制御部は、第一の投稿者が投稿したユーザ投稿情報に対して第二の投稿者がユーザ投稿情報を投稿した場合、第一の投稿者を示す投稿者情報と第二の投稿者を示す投稿者情報が表示画面において関連付けられて表示されるように制御を行う請求項１０に記載のユーザ投稿情報サーバ。
【請求項１２】
前記制御部は、前記ユーザ投稿情報の内容を解析し、解析結果に応じてポップアップ表示の状態を変更するための制御を行う請求項１乃至１１のいずれか一項に記載のユーザ投稿情報サーバ。
【請求項１３】
前記静的コンテンツは、ニュース情報である請求項１乃至１２のいずれか一項に記載のユーザ投稿情報サーバ。
【請求項１４】
静的コンテンツを配信するコンテンツサーバと、
前記静的コンテンツに対するユーザ投稿情報の管理を行うユーザ投稿情報サーバと、
前記静的コンテンツと前記ユーザ投稿情報の表示を行うユーザ端末装置と、
を有するユーザ投稿情報表示システムにおいて、
前記ユーザ投稿情報サーバは、投稿された前記ユーザ投稿情報を受け付ける通信部と、前記ユーザ投稿情報が投稿されたタイミングに応じて、前記ユーザ投稿情報を前記ユーザ端末装置にポップアップ表示させる制御を行う制御部と、前記通信部が受け付けた前記ユーザ投稿情報を記憶する記憶部と、を有し、
前記制御部は、前記記憶部に記憶された前記ユーザ投稿情報を、前記ポップアップ表示を行う領域とは別に前記ユーザ端末装置にタイムラインとして表示させるための制御と、ユーザ投稿情報の前記ポップアップ表示の背景の色及び／又は文字の色と、該ユーザ投稿情報に対応するタイムラインの表示の背景の色及び／又は文字の色を対応させる制御を行うユーザ投稿情報表示システム。
【請求項１５】
静的コンテンツに対するユーザ投稿情報をユーザ端末装置に表示させるためのユーザ投稿情報表示方法であって、
通信部が、投稿された前記ユーザ投稿情報を受け付ける受信ステップと、
制御部が、前記ユーザ投稿情報が投稿されたタイミングに応じて、前記ユーザ投稿情報を前記ユーザ端末装置にポップアップ表示させるための制御ステップと、
記憶部が、前記通信部が受け付けた前記ユーザ投稿情報を記憶する記憶ステップと、
前記制御部が、前記記憶部に記憶された前記ユーザ投稿情報を、前記ポップアップ表示を行う領域とは別に前記ユーザ端末装置にタイムラインとして表示させるための表示ステップと、ユーザ投稿情報の前記ポップアップ表示の背景の色及び／又は文字の色と、該ユーザ投稿情報に対応するタイムラインの表示の背景の色及び／又は文字の色を対応させる制御を行う対応ステップと、
を有するユーザ投稿情報表示方法。
【請求項１６】
静的コンテンツに対するユーザ投稿情報をユーザ端末装置に表示させるためのユーザ投稿情報表示プログラムであって、
投稿された前記ユーザ投稿情報を受け付ける受信ステップと、
前記ユーザ投稿情報が投稿されたタイミングに応じて、前記ユーザ投稿情報を前記ユーザ端末装置にポップアップ表示させるための制御ステップと、
前記受信ステップで受け付けた前記ユーザ投稿情報を記憶する記憶ステップと、
前記記憶ステップで記憶された前記ユーザ投稿情報を、前記ポップアップ表示を行う領域とは別に前記ユーザ端末装置にタイムラインとして表示させるための表示ステップと、ユーザ投稿情報の前記ポップアップ表示の背景の色及び／又は文字の色と、該ユーザ投稿情報に対応するタイムラインの表示の背景の色及び／又は文字の色を対応させる制御を行う対応ステップと、
をコンピュータによって実現するためのユーザ投稿情報表示プログラム。
【手続補正３】
【補正対象書類名】明細書
【補正対象項目名】０００７
【補正方法】変更
【補正の内容】
【０００７】
上記の課題を解決するために、本開示のユーザ投稿情報サーバは、静的コンテンツに対するユーザ投稿情報をユーザ端末装置に表示させるためのユーザ投稿情報サーバであって、投稿されたユーザ投稿情報を受け付ける通信部と、ユーザ投稿情報が投稿されたタイミングに応じて、ユーザ投稿情報をユーザ端末装置にポップアップ表示させる制御を行う制御部と、通信部が受け付けたユーザ投稿情報を記憶する記憶部と、を有し、制御部は、記憶部に記憶されたユーザ投稿情報を、ポップアップ表示を行う領域とは別にユーザ端末装置にタイムラインとして表示させるための制御と、ユーザ投稿情報のポップアップ表示の背景の色及び／又は文字の色と、ユーザ投稿情報に対応するタイムラインの表示の背景の色及び／又は文字の色を対応させる制御を行う。
【手続補正４】
【補正対象書類名】明細書
【補正対象項目名】０００８
【補正方法】変更
【補正の内容】
【０００８】
また、本開示のユーザ投稿情報表示システムは、静的コンテンツを配信するコンテンツサーバと、静的コンテンツに対するユーザ投稿情報の管理を行うユーザ投稿情報サーバと、静的コンテンツとユーザ投稿情報の表示を行うユーザ端末装置と、を有するユーザ投稿情報表示システムにおいて、ユーザ投稿情報サーバは、投稿されたユーザ投稿情報を受け付ける通信部と、ユーザ投稿情報が投稿されたタイミングに応じて、ユーザ投稿情報をユーザ端末装置にポップアップ表示させる制御を行う制御部と、前記通信部が受け付けた前記ユーザ投稿情報を記憶する記憶部と、を有し、制御部は、記憶部に記憶されたユーザ投稿情報を、ポップアップ表示を行う領域とは別にユーザ端末装置にタイムラインとして表示させるための制御と、ユーザ投稿情報のポップアップ表示の背景の色及び／又は文字の色と、ユーザ投稿情報に対応するタイムラインの表示の背景の色及び／又は文字の色を対応させる制御を行う。
【手続補正５】
【補正対象書類名】明細書
【補正対象項目名】０００９
【補正方法】変更
【補正の内容】
【０００９】
また、本開示のユーザ投稿情報表示方法は、静的コンテンツに対するユーザ投稿情報をユーザ端末装置に表示させるためのユーザ投稿情報表示方法であって、通信部が、投稿されたユーザ投稿情報を受け付ける受信ステップと、制御部が、ユーザ投稿情報が投稿されたタイミングに応じて、ユーザ投稿情報をユーザ端末装置にポップアップ表示させるための制御を行う制御ステップと、記憶部が、前信部が受け付けたユーザ投稿情報を記憶する記憶ステップと、制御部が、記憶部に記憶されたユーザ投稿情報を、ポップアップ表示を行う領域とは別にユーザ端末装置にタイムラインとして表示させるための表示ステップと、ユーザ投稿情報のポップアップ表示の背景の色及び／又は文字の色と、ユーザ投稿情報に対応するタイムラインの表示の背景の色及び／又は文字の色を対応させる制御を行う対応ステップとを有する。
【手続補正６】
【補正対象書類名】明細書
【補正対象項目名】００１０
【補正方法】変更
【補正の内容】
【００１０】
また、本開示のユーザ投稿情報表示プログラムは、静的コンテンツに対するユーザ投稿情報をユーザ端末装置に表示させるためのユーザ投稿情報表示プログラムであって、投稿されたユーザ投稿情報を受け付ける受信ステップと、ユーザ投稿情報が投稿されたタイミングに応じて、ユーザ投稿情報をユーザ端末装置にポップアップ表示させるための制御を行う制御ステップと、受信ステップで受け付けたユーザ投稿情報を記憶する記憶ステップと、記憶ステップで記憶されたユーザ投稿情報を、ポップアップ表示を行う領域とは別にユーザ端末装置にタイムラインとして表示させるための表示ステップと、ユーザ投稿情報のポップアップ表示の背景の色及び／又は文字の色と、ユーザ投稿情報に対応するタイムラインの表示の背景の色及び／又は文字の色を対応させる制御を行う対応ステップと、をコンピュータによって実現する。